(57)【要約】　　　（修正有）【課題】硬貨を容易に連続投入可能とし、迅速に硬貨を補充することができるようにした硬貨処理装置を提供する。【解決手段】投入硬貨の正偽と正貨の金種とを判別する硬貨選別部２と、釣り銭の額に応じた硬貨を払い出すべく金種毎に硬貨を蓄積収容する硬貨収容部７、５０とを有する硬貨処理装置１に、硬貨収容部７、５０へ硬貨を連続投入して補充する硬貨案内シュート手段１０、４０を配設した。【選択図】　図１
2004133776.tif 000002
【特許請求の範囲】
【請求項１】
投入硬貨の正偽と正貨の金種とを判別する硬貨選別部と、釣り銭の額に応じた硬貨を払い出すべく金種毎に硬貨を蓄積収容する硬貨収容部とを有する硬貨処理装置において、
前記硬貨収容部へ硬貨を連続投入する硬貨案内シュート手段を配設したことを特徴とする硬貨処理装置。
【請求項２】
前記硬貨案内シュート手段は、前記硬貨選別部の正面を開閉自在に覆うフロントカバーと、該フロントカバー内に配設され、投入硬貨を自在な方向へガイドするリンク式硬貨案内手段とからなることを特徴とする請求項１に記載の硬貨処理装置。
【請求項３】
前記硬貨案内シュート手段は、前記硬貨収容部の正面を開閉自在に覆うフロントカバーと、該フロントカバー内に配設され、投入硬貨を自在な方向へガイドするリンク式硬貨案内手段とからなることを特徴とする請求項１に記載の硬貨処理装置。
【請求項４】
前記リンク式硬貨案内手段は、前記フロントカバーの上端に所定の間隔を設けて形成された一対のガイド孔と、該一対のガイド孔に嵌挿するガイドピンが上端に形成された一対の硬貨案内シュートと、該一対の硬貨案内シュート下端にそれぞれ突出形成されたガイドピンと、該ガイドピンに嵌挿したリンクアームと、該リンクアームの中央に突設されたピンと、前記フロントカバーの下端幅方向にそって形成され、前記リンクアームのピンが嵌挿して突出するガイド孔とからなることを特徴とする請求項２または請求項３に記載の硬貨処理装置。
【請求項５】
前記硬貨案内シュート手段は、前記硬貨収容部の正面を開閉自在に覆うフロントカバーと、該フロントカバーの上面に形成され、硬貨を案内する溝からなる複数本のシュートとからなることを特徴とする請求項１に記載の硬貨処理装置。
【請求項６】
前記硬貨案内シュート手段は、前記硬貨選別部の正面を開閉自在に覆うフロントカバーと、該フロントカバーの上面に形成され、硬貨を案内する溝からなる複数本のシュートとからなることを特徴とする請求項１に記載の硬貨処理装置。
【請求項７】
前記溝は断面略コの字形状であることを特徴とする請求項５または請求項６に記載の硬貨処理装置。
【請求項８】
前記溝は断面略Ｕの字形状であることを特徴とする請求項５または請求項６に記載の硬貨処理装置。
【発明の詳細な説明】
【０００１】
【発明の属する技術分野】
この発明は投入硬貨の正偽を判別し、正貨を収容するとともに、釣り銭の額に応じた硬貨を払い出す硬貨処理装置に関し、特に釣り銭補充が容易な硬貨処理装置に関する。
【０００２】
【従来の技術】
自動販売機、ゲーム機等の機器内には、投入硬貨の正偽を判別すると共に、正貨を収容し、また釣り銭の額に応じた硬貨を払い出す硬貨処理装置が配設されている。
【０００３】
このような、硬貨処理装置では釣り銭用の硬貨を補充する為、硬貨収容部を構成する複数本のコインチューブの各上部に硬貨を一枚づつ投入することができるスリット形状の硬貨投入口を形成し、この硬貨投入口を介し硬貨を一枚ずつ各コインチューブ内に投入して硬貨を補充するようにしていた。
【０００４】
【発明が解決しようとする課題】
ところで、上述したコインチューブの各上部に形成した硬貨投入口を介し、釣銭用の硬貨を一枚ずつ各コインチューブ内に補充する従来の硬貨処理装置では、硬貨補充の際に、各コインチューブごとに一枚ずつ硬貨を投入して補充しなければならないから、特に硬貨補充作業が不慣れな初心者にとっては、その硬貨補充作業が煩雑で時間がかかる難点があった。
【０００５】
この発明上述した事情に鑑み、硬貨を容易に連続投入可能とし、迅速に硬貨を補充することができるようにした硬貨処理装置を提供する。
【０００６】
【課題を解決するための手段】
上述した課題を解決するため、この発明では、投入硬貨の正偽と正貨の金種とを判別する硬貨選別部と、釣り銭の額に応じた硬貨を払い出すべく金種毎に硬貨を蓄積収容する硬貨収容部とを有する硬貨処理装置において、前記硬貨収容部へ硬貨を連続投入する硬貨案内シュート手段を配設するようにしている。
【０００７】
【発明の実施の形態】
以下、この発明に係わる硬貨処理装置の一実施例を詳述する。
【０００８】
図１はこの発明に係わる硬貨処理装置１の概念斜視図である。
【０００９】
この硬貨処理装置１は、図示せぬ装置本体と、この装置本体内に収容される硬貨選別部２、およびこの硬貨選別部２の下方に配設され、金種毎に硬貨を蓄積収容する複数本のコインチューブ３、４、５、６を具えた硬貨収容部７から構成されている。
【００１０】
なお、装置本体は、上述した硬貨選別部２、および硬貨収容部７を着脱自在に収容する周知の筐体からなり、この筐体下方には、硬貨収容部７から釣り銭の額に応じて硬貨を払出すペイアウトスライド等の周知の硬貨払出し部が配設されている。
【００１１】
上述した硬貨選別部２内には、硬貨投入口８から投入された硬貨の正偽と、正貨の金種を判別するコイルセンサー、および正貨と見做された硬貨を下方に配設された各コインチューブ３、４、５、６へ金種毎に振り分ける、硬貨振り分けレバー等の各種の硬貨振り分け手段が配設されている。
【００１２】
そして、硬貨投入口８内に投入された硬貨は、上述した硬貨選別部２内で正偽貨に振り分けられ、その後、正貨と見做された硬貨は各種の前記硬貨振り分け手段により金種ごとに振り分けられ、その下方に配設された各コインチューブ３、４、５、６内に金種毎に蓄積収容される。
【００１３】
一方、この硬貨処理装置１では、硬貨選別部２の正面に硬貨案内シュート手段１０が配設されている。
【００１４】
この硬貨案内シュート手段１０は、硬貨選別部２の正面を開閉自在に覆うフロントカバー１１と、このフロントカバー１１内に配設され、落下する投入硬貨を自在な方向へガイドするリンク式硬貨案内手段１２とから構成されている。
【００１５】
このうち、フロントカバー１１は下端に配設された軸１３を中心に回動自在に支承され、その内側面にはリンク式硬貨案内手段１２が配設されている。
【００１６】
このリンク式硬貨案内手段１２は、フロントカバー１１の上端に所定の間隔Ｌを設けて形成された一対のガイド孔１３、１４と、この一対のガイド孔１３、１４に嵌挿するガイドピン１５ａ、１６ａが上端に形成された一対の硬貨案内シュート１５、１６とから構成されている。なお上述した間隔Ｌおよび一対の硬貨案内シュート１５、１６の高さは、硬貨の投入が容易となるように広く確保し、一度に複数枚の硬貨が投入されるとシュートを滑る間にバラけて一枚ずつコインチューブの入口に落下するように設定されている。
【００１７】
一方、この一対の硬貨案内シュート１５、１６の下端には、それぞれガイドピン１５ｂ、１６ｂが突出形成され、このガイドピン１５ｂ、１６ｂはリンクアーム１７に所定の間隔Ｍを設けて嵌挿している。なお、この間隔Ｍは、取り扱う硬貨のうち最大径の硬貨の径よりも若干大きく形成されている。
【００１８】
また、フロントカバー１１の下端にはコインチューブ３、４、５、６の配列方向に沿ってガイド孔１１ａが形成され、このガイド孔１１ａには前記リンクアーム１７の中央に突設されたピン１７ａが嵌挿し突出している。
【００１９】
なお、図１で符号６０は硬貨返却レバーである。
【００２０】
上述した硬貨案内シュート手段１０によると、硬貨選別部２の底面図で示す図２のように、ピン１７ａをガイド孔１１ａに沿って左右にスライドさせると、一対の硬貨案内シュート１５、１６の下端によって挟まれる部分Ａ、即ち硬貨落下口Ａが硬貨選別部２の底面２ａ幅方向に形成された開口２ｂに沿って移動することとなる。なお、図２で、符号２ｃは返却硬貨（あるいは、排除硬貨）が落下するスラグシュートである。
【００２１】
上述した構造によると一対の硬貨案内シュート１５、１６によって挟まれる部分Ａは、図１で示す一列に配列された各コインチューブ３、４、５、６の各開口端３ａ、４ａ、５ａ、６ａに沿って左右に移動することとなる。
【００２２】
次に、上述した硬貨案内シュート手段１０の作用を説明し、併せて構成をより詳細に説明する。
【００２３】
まず、硬貨補充時に、コインチューブ４に硬貨Ｄを補充する場合を例に取って説明する。
【００２４】
図３に示すように、まず、フロントカバー１１を軸１３を中心に所定の回転角度手前に回転させ、これによりフロントカバー１１の内側面を解放する。
【００２５】
次に、リンクアーム１７のピン１７ａをガイド孔１１ａに沿ってスライドさせ、これにより一対の硬貨案内シュート１５、１６の下端によって挟まれる部分Ａをコインチューブ４の開口端４ａと対向する位置に位置決めする。
【００２６】
その後、フロントカバー１１の上縁１１ｂから補充する硬貨Ｄを一対の硬貨案内シュート１５、１６の各上端で囲まれた部分Ｃに複数枚まとめて、あるいは一枚ずつ次々と落下させる。
【００２７】
すると当該部分Ｃに落下した硬貨Ｄは、フロントカバー１１の上面と一対の硬貨案内シュート１５、１６間に矢印の如く案内されて、その下端の部分Ａからコインチューブ４の開口端４ａ内に勢いよく落下し、次々とコインチューブ４内に補充硬貨Ｄが蓄積収容される。
【００２８】
次に、複数のコインチューブ３、４、５、６のうち、図面左側にあるコインチューブ３に最も径の大きい硬貨Ｅを補充する場合について詳述する。
【００２９】
この場合も図４で示すように、リンクアーム１７のピン１７ａをガイド孔１１ａに沿って左側にスライドさせ、これにより一対の硬貨案内シュート１５、１６の下端によって挟まれる部分Ａをコインチューブ３の開口端３ａ上方に位置決めする。
【００３０】
その後、フロントカバー１１の上縁１１ｂから補充する硬貨Ｅを一対の硬貨案内シュート１５、１６上端で囲まれた部分Ｃに複数枚まとめて、あるいは次々と落下させると、当該部分Ｃに落下した硬貨Ｅは、矢印の如く一対の硬貨案内シュート１５、１６間に案内されて、その下端の部分Ａからコインチューブ３の開口端３ａ内に勢いよく落下し、次々とコインチューブ３内に蓄積収容されることとなる。
【００３１】
同様に、リンクアーム１７のピン１７ａをガイド孔１１ａに沿ってスライド操作し、これにより硬貨案内シュート手段１０の一対の硬貨案内シュート１５、１６により他のコインチューブ５、６にも対応する硬貨Ｆ、Ｇの硬貨補充作業を行う。
【００３２】
そして、このような各コインチューブ３、４、５、６に対する各硬貨の補充作業が終了すると、フロントカバー１１を図１の初期位置に戻して硬貨補充作業を終了させる。
【００３３】
従って、上述した硬貨案内シュート手段１０によると、各コインチューブ３、４、５、６内に、対応する硬貨Ｅ、Ｄ、Ｆ、Ｇを初心者でも容易に、かつ一時に大量かつ迅速に補充することができることとなる。
【００３４】
なお、上記実施例では、硬貨選別部２の正面に硬貨案内シュート手段１０を配設するようにしたが、この発明は上記実施例に限定されることなく、図５で示すように、硬貨処理装置１を構成する硬貨収容部５０の正面に硬貨案内シュート手段４０を配設するようにしてもよい。
【００３５】
この硬貨処理装置１も装置本体５１と、この装置本体５１内に収容される硬貨選別部２、およびこの硬貨選別部２の下方に配設され、金種毎に硬貨を蓄積収容する複数本のコインチューブからなる硬貨収容部５０から構成されている。
【００３６】
なお、装置本体５１は、上述した硬貨選別部２、および硬貨収容部５０を着脱自在に収容する筐体からなり、この筐体下方には、硬貨収容部５０から釣り銭の額に応じて硬貨を払出すペイアウトスライド等の周知の硬貨払出し部５２が配設されている。
【００３７】
この硬貨処理装置１０の硬貨案内シュート手段４０は、図５及び図５の要部断面図で示す図６のように、複数本の各コインチューブ２０、２１、２２、２３、２４からなる硬貨収容部５０の正面を覆うように配設され、かつ上端の軸５３を中心に回動自在なフロントカバー４１から構成されている。
【００３８】
そして、このフロントカバー４１の上面には、各コインチューブ２０、２１、２２、２３、２４の上端に形成された各硬貨投入口２０ａ、２１ａ、２２ａ、２３ａ、２４ａへ向けて、硬貨を案内する断面略コの字形状の溝からなるシュート３０、３１、３２、３３、３４が形成されている。
【００３９】
なお、この各シュート３０、３１、３２、３３、３４の各幅は、対応するコインチューブ内に投入され、蓄積収容される硬貨の径よりも若干広く形成されていることは言うまでもない。
【００４０】
なお、この各シュート３０、３１、３２、３３、３４のうち、コインチューブ２０の硬貨投入口２０ａにはシュート３０の下流端３０ａが、またコインチューブ２１の硬貨投入口２１ａにはシュート３１の下流端３１ａが、コインチューブ２２の硬貨投入口２２ａにはシュート３２の下流端３２ａが、またコインチューブ２３の硬貨投入口２３ａにはシュート３３の下流端３３ａが、コインチューブ２４の硬貨投入口２４ａにはシュート３４の下流端３４ａがそれぞれ臨んでいる。
【００４１】
次に、上述した硬貨案内シュート手段４０の作用を説明し、併せて構成をより詳細に説明する。
【００４２】
図７に示すように、硬貨補充時にフロントカバー４１を軸５３を中心に所定の回転角度回転させ、これによりフロントカバー４１に形成された、各シュート３０、３１、３２、３３、３４の各下流端３０ａ、３１ａ、３２ａ、３３ａ、３４ａを対応する各コインチューブ２０、２１、２２、２３、２４の各硬貨投入口２０ａ、２１ａ、２２ａ、２３ａ、２４ａに臨ませる（図５）。
【００４３】
次に、フロントカバー４１に形成された、各シュート３０、３１、３２、３３、３４の各上流端３０ｂ、３１ｂ、３２ｂ、３３ｂ、３４ｂから図７の要部破断側面図で示す図８のように、それぞれ対応する各コインチューブ２０、２１、２２、２３、２４へ向けて対応する補充硬貨Ｅ、Ｄ、Ｆ、Ｇ、Ｈを矢印の如く複数枚まとめて、あるいは次々と落下させる。
【００４４】
すると、各シュート３０、３１、３２、３３、３４の各上流端３０ｂ、３１ｂ、３２ｂ、３３ｂ、３４ｂに落下した硬貨Ｅ、Ｄ、Ｆ、Ｇ、Ｈは、その下流端３０ａ、３１ａ、３２ａ、３３ａ、３４ａから対応する各コインチューブ２０、２１、２２、２３、２４の各硬貨投入口２０ａ、２１ａ、２２ａ、２３ａ、２４ａ内に勢いよく落下し、次々と各コインチューブ２０、２１、２２、２３、２４内に蓄積収容される。
【００４５】
そして、このような各コインチューブ２０、２１、２２、２３、２４に対する各硬貨の補充作業が終了すると、フロントカバー４１を図５の初期位置に戻して硬貨補充作業を終了させる。
【００４６】
従って、上述した硬貨案内シュート手段４１によっても、各コインチューブ２０、２１、２２、２３、２４内に、対応する硬貨Ｅ、Ｄ、Ｆ、Ｇ、Ｈを初心者でも容易に、かつ一時に大量かつ迅速に補充することができることとなる。
【００４７】
なお上記各実施例では、硬貨選別部２の正面に第１実施例の硬貨案内シュート手段１０を配設し、また硬貨収容部５０の正面に第２実施例の硬貨案内シュート手段４０を配設するようにしたが、この発明は上記実施例に限定されることなく、硬貨選別部２の正面に第２実施例の硬貨案内シュート手段４０を配設し、また硬貨収容部５０の正面に第１実施例の硬貨案内シュート手段１０を配設するようにしてもよい。
【００４８】
また上記実施例では、第２実施例の硬貨案内シュート手段４０を、硬貨を案内する断面略コの字形状の溝からなるシュート３０、３１、３２、３３、３４を形成したフロントカバー４１により構成したが、この発明は上記実施例に限定されることなく、図７と同一部分を同一符号で示す図９のように、フロントカバー４１に形成された各シュート３０、３１、３２、３３、３４の各断面形状を、対応する硬貨の外径形状に応じた断面略Ｕの字形状に形成し、その際、図９で示すように保守点検を行うオペレータが多数枚の硬貨をまとめて断面略Ｕの字形状の各シュート３０、３１、３２、３３、３４内にそれぞれ配置し、その後、これらの多数枚の硬貨を各シュート３０、３１、３２、３３、３４を介して矢印Ｊのように落下させるようにしてもよい。
【００４９】
【発明の効果】
以上説明したように、この発明では、硬貨処理装置に、硬貨を硬貨収容部内へ連続投入して補充することのできる硬貨案内シュート手段を配設するようにしたから、硬貨収容部内に初心者でも容易かつ迅速に硬貨を補充することができ、このため釣り銭硬貨の補充作業を簡単かつ短時間で終了させることができる。
【図面の簡単な説明】
【図１】図１はこの発明に係わる硬貨処理装置の概念斜視図。
【図２】図２は硬貨選別部の底面図。
【図３】図３はこの発明に係わる硬貨処理装置の作用を示す概念斜視図。
【図４】図４はこの発明に係わる硬貨処理装置の作用を示す概念斜視図。
【図５】図５はこの発明に係わる硬貨処理装置の他の実施例を示す概念斜視図。
【図６】図６は図５の要部破断側面図。
【図７】図７はこの発明に係わる硬貨処理装置の作用を示す概念斜視図。
【図８】図８は図７の要部破断側面図。
【図９】図９は溝の断面形状の他の実施例を示す要部破断斜視図である。
【符号の説明】
１…硬貨処理装置
２…硬貨選別部
７、５０…硬貨収容部
１０、４０…硬貨案内シュート手段
１１、４１…フロントカバー
１１ａ…ガイド孔
１２…リンク式硬貨案内手段
１３、１４…ガイド孔
１５ａ、１６ａ、１５ｂ、１６ｂ…ガイドピン
１５、１６…一対の硬貨案内シュート
１７…リンクアーム
１７ａ…ピン
３０、３１、３２、３３、３４…シュート
【図１】
2004133776.tif 000003
【図２】
2004133776.tif 000004
【図３】
2004133776.tif 000005
【図４】
2004133776.tif 000006
【図５】
2004133776.tif 000007
【図６】
2004133776.tif 000008
【図７】
2004133776.tif 000009
【図８】
2004133776.tif 000010
【図９】
2004133776.tif 000011
【手続補正書】
【提出日】平成14年10月18日(2002.10.18)
【手続補正１】
【補正対象書類名】図面
【補正対象項目名】全図
【補正方法】変更
【補正の内容】
【図１】
2004133776.tif 000012
【図２】
2004133776.tif 000013
【図３】
2004133776.tif 000014
【図４】
2004133776.tif 000015
【図５】
2004133776.tif 000016
【図６】
2004133776.tif 000017
【図７】
2004133776.tif 000018
【図８】
2004133776.tif 000019
【図９】
2004133776.tif 000020